【事件の表示】
　特許第６５７２５４８号発明「非水系インクジェットインク組成物」の特許異議申立事件について、次のとおり決定する。
【結　論】
　特許第６５７２５４８号の特許請求の範囲を訂正請求書に添付された特許請求の範囲のとおり、訂正後の請求項〔１〜７〕について訂正することを認める。
　特許第６５７２５４８号の請求項１〜７に係る特許を維持する。
【理　由】
第１　手続の経緯 
　特許第６５７２５４８号の請求項１〜７に係る特許についての出願は、平成２７年２月３日に出願され、令和元年８月２３日にその特許権の設定登録がされ、同年９月１１日に特許掲載公報が発行された。その後、その請求項１〜７に係る特許に対し、令和２年３月５日に特許異議申立人渡辺陽子により特許異議の申立てがされ、当審は、同年６月３日付けで取消理由を通知した。特許権者は、その指定期間内である同年８月１１日に意見書の提出を行った。当審は、同年９月８日付けで取消理由（決定の予告）を通知した。特許権者は、その指定期間内である同年１１月１０日に意見書の提出及び訂正の請求（以下「本件訂正請求」という。）を行った。特許権者から訂正請求があったこと及び意見書が提出されたことを、同年同月１８日付けで特許異議申立人に通知し、特許異議申立人は、その指定期間内である同年１２月１６日に意見書を提出した。
第２　本件訂正の適否についての判断
１　本件訂正の内容
　本件訂正は、以下の訂正事項１からなる。
　（訂正事項１）
　特許請求の範囲の請求項１において、「前記一般式（１）で表される化合物として、ジエチレングリコールメチルエチルエーテル、ジエチレングリコールジメチルエーテル、ジエチレングリコールジエチルエーテル及びジエチレングリコールブチルメチルエーテルから選ばれる化合物の１種以上」とあるのを、「前記一般式（１）で表される化合物として、ジエチレングリコールメチルエチルエーテル、ジエチレングリコールジメチルエーテル及びジエチレングリコールジエチルエーテルから選ばれる化合物の１種以上」に訂正する。
　また、特許請求の範囲の請求項１において、「前記一般式（１）で表される化合物として、ジエチレングリコールジエチルエーテルを含有」することを特定する。
　さらに、特許請求の範囲の請求項１において、「インク組成物中に含まれる当該環状エステルの合計含有量が５質量％以上４０質量％以下である」とあるのを、
「インク組成物中に含まれる当該環状エステルの合計含有量が５質量％以上３０質量％以下である」に訂正する。
　請求項１の記載を直接的又は間接的に引用する請求項２〜７も同様に訂正する。
　また、訂正前の請求項１〜７について、請求項２〜６はそれぞれ請求項１を引用し、請求項７は請求項６を引用しており、本件訂正請求は、一群の請求項〔１〜７〕に対して請求されたものである。
２．訂正の目的の適否、新規事項の有無、及び特許請求の範囲の拡張・変更の存否
（１）訂正の目的について
　訂正事項１は、「一般式（１）で表される化合物」について、択一的記載の要素の一部を削除し、「一般式（１）で表される化合物」について、「ジエチレングリコールジエチルエーテルを含有」することを特定し、さらに、「インク組成物中に含まれる当該環状エステルの合計含有量が５質量％以上３０質量％以下である」に訂正することによって、非水系インクジェットインク組成物中に含まれる環状エステルの含有量を限定するものである。
　また、訂正事項１は、訂正後の請求項１を引用する訂正後の請求項２〜７についても、同様に訂正するものである。
　したがって、訂正事項１は、特許法第１２０条の５第２項ただし書第１号に規定する特許請求の範囲の減縮を目的とするものである。
　（２）新規事項の有無及び特許請求の範囲を拡張又は変更の有無
　０１０２段落表１の実施例４、７〜１０には、ジエチレングリコールジエチルエーテルを含有する非水系インクジェットインク組成物が記載されており、また、環状エステルの含有量に関して、００３３段落には、「環状エステルを配合する場合における、非水系インクジェットインク組成物の全質量に対する含有量（複数種を使用する場合にはその合計量）は、好ましくは５質量％以上４０質量％以下、より好ましくは１０質量％以上３０質量％以下である。」と記載されている。
　そうすると、訂正事項１は、新規事項を追加するものではなく、願書に添付した明細書、特許請求の範囲又は図面に記載した事項内の訂正であり、特許法第１２０条の５第９項で準用する特許法第１２６条第５項及び第６項に適合するものである。
（３）小括 
　以上のとおりであるから、本件訂正は特許法第１２０条の５第２項ただし書第１号に掲げる事項を目的とするものであり、かつ、同条第９項で準用する同法第１２６条第５項及び第６項の規定に適合する。
　したがって、訂正請求書に添付された訂正特許請求の範囲のとおり、訂正後の請求項〔１〜７〕について訂正することを認める。
第３　本件特許発明
　上記第２で述べたとおり、本件訂正後の請求項１〜７について訂正することを認めるので、本件特許の請求項１〜７に係る発明は、令和２年１１月１０日付けの訂正請求書に添付された訂正特許請求の範囲の請求項１〜７に記載された事項により特定される次のとおりのもの（以下「本件特許発明１」〜「本件特許発明７」、まとめて「本件特許発明」ともいう。）である。
　
「【請求項１】
　顔料としてＣ．Ｉ．ピグメントオレンジ４３と、
　溶剤として下記一般式（１）で表される化合物の１種以上と、を含み、
インク組成物中に含まれる水の含有量が０．１質量％以上２質量％以下であり、
前記一般式（１）で表される化合物として、ジエチレングリコールメチルエチルエーテル、ジエチレングリコールジメチルエーテル及びジエチレングリコールジエチルエーテルから選ばれる化合物の１種以上を、インク組成物の全質量に対して合計６７質量％以上含有し、
　前記一般式（１）で表される化合物として、ジエチレングリコールジエチルエーテルを含有し、
　前記溶剤として環状エステルの１種以上をさらに含み、インク組成物中に含まれる当該環状エステルの合計含有量が５質量％以上３０質量％以下である、非水系インクジェットィンク組成物。
Ｒ１Ｏ−（Ｒ２Ｏ）ｍ−Ｒ３　・・・・・（１）
（一般式（１）中、Ｒ１及びＲ３は、それぞれ独立して、水素又は炭素数１以上４以下のアルキル基を表す。ただし、Ｒ１及びＲ３の少なくとも何れかは、炭素数１以上４以下のアルキル基である。Ｒ２は、炭素数２又は３のアルキレン基を表す。ｍは２〜３の整数を表す。）
【請求項２】
　インク組成物中に含まれる前記顔料の含有量が、１質量％以上６質量％以下である、請求項１に記載の非水系インクジェットインク組成物。
【請求項３】
　インク組成物中に含まれる前記一般式（１）で表される化合物の合計含有量が、６７質量％以上９０質量％以下である、請求項１または請求項２に記載の非水系インクジェットインク組成物。
【請求項４】
　さらに、塩化ビニル樹脂を含む、請求項１ないし請求項３のいずれか一項に記載の非水系インクジェットインク組成物。
【請求項５】
　前記水の含有量が、０．１質量％以上１質量％以下である、請求項１ないし請求項４の
いずれか一項に記載の非水系インクジェットインク組成物。
【請求項６】
　前記一般式（１）で表される化合物が、引火点が７０℃以下の化合物である、請求項１ないし請求項５のいずれか一項に記載の非水系インクジェットインク組成物。
【請求項７】
　前記一般式（１）で表される化合物のうち、前記引火点が７０℃以下の化合物の合計含有量が７０質量％以下である、請求項６に記載の非水系インクジェットインク組成物。」 
第４　取消理由通知に記載した取消理由について
１　取消理由の概要
　訂正前の請求項１〜７に係る特許に対して、当審が令和２年６月３日付け及び令和２年９月８日付けで特許権者に通知した取消理由（理由１）の要旨は、次のとおりである。
理由１（進歩性）本件特許の請求項１〜７に係る発明は、本件特許出願前に日本国内又は外国において、頒布された甲第１号証〜甲第７号証に記載された発明又は電気通信回線を通じて公衆に利用可能となった発明に基いて、本件特許出願前にその発明の属する技術の分野における通常の知識を有する者が容易に発明をすることができたものであるから、請求項１〜７に係る特許は、特許法第２９条第２項の規定に違反してされたものであり、同法第１１３条第１項第２号の規定により取り消されるべきものである。
　
甲第１号証：特開２０１４−２３７８０３号公報
甲第２号証：特開２０１０−４３１４９号公報
甲第３号証：特開２００９−２１５４６１号公報
甲第４号証：特開２００９−２１５４６０号公報
甲第５号証：特開２００９−２７００４３号公報
甲第６号証：橋本勲、「Organic Pigments Handbook 有機顔料ハンドブック」、カラーオフィス、２００６年５月初版発行、ｐ．４９９−５００ 
甲第7号証：特開２０１１−６５４１号公報
２　甲号証の記載について　
（１）甲第１号証 
１ａ「【請求項１】
　色材と、環状エステルと、引火点が７０℃以下であって下記一般式（Ｉ）で表される第１有機溶剤と、引火点が９０℃以上の第２有機溶剤と、を含有し、
　前記環状エステルの含有量ａ（質量％）が、６質量％以上３０質量％以下であり、
　前記環状エステルの含有量ａ（質量％）と、前記第１有機溶剤の含有量ｂ（質量％）と、前記第２有機溶剤の含有量ｃ（質量％）とが、下記式（１）および（２）の関係を満たす、インクジェット記録用インク組成物。
　Ｒ1−Ｏ−（Ｒ2−Ｏ）2−Ｒ3　　　・・・（Ｉ）
（上記一般式（Ｉ）において、Ｒ1は炭素数１以上４以下のアルキル基を表し、Ｒ2はエチレン基またはプロピレン基を表し、Ｒ3は水素原子または炭素数１以上４以下のアルキル基を表す。）
　ａ＜ｂ　　　　　　　　　・・・（１）
ｃ＜（ａ＋ｂ）／２　　　・・・（２）
・・・
【請求項３】
請求項１または請求項２において、
前記第１有機溶剤の含有量ｂが、２０質量％以上８５質量％以下である、インクジェット記録用インク組成物。
・・・
【請求項５】
請求項１ないし請求項４のいずれか１項において、
水の含有量が３質量％以下である、インクジェット記録用インク組成物。」
１ｂ「【００２８】
１．１．色材
本実施形態のインク組成物は、色材を含有する。係る色材としては、従来公知の染料、有機あるいは無機顔料を用いることができる。このうち顔料を用いることが耐光性の点から好ましい。本実施形態のインク組成物に使用可能な顔料としては、例えば、アゾレーキ、不溶性アゾ顔料、縮合アゾ顔料、キレートアゾ顔料等のアゾ顔料、フタロシアニン顔料、ペリレンおよびペリレン顔料、アントラキノン顔料、キナクリドン顔料、ジオキサンジン顔料、チオインジゴ顔料、イソインドリノン顔料、キノフタロニ顔料等の多環式顔料、塩基性染料型レーキ、酸性染料型レーキ等の染料レーキ、ニトロ顔料、ニトロソ顔料、アニリンブラック、昼光蛍光顔料等の有機顔料、並びにカーボンブラック等の無機顔料からなる群より選択される少なくとも１種が挙げられる。
【００２９】
本実施形態のインク組成物は、ブラック、ホワイト、シアン、ブルー、グリーン、マゼンダ、レッド、イエロー、オレンジ、若しくはこれらの淡色若しくは濃色、若しくはこれらの混色、または光輝色のインクとすることができる。
・・・
【００３１】
本実施形態のインク組成物を、オレンジまたはイエローのインクとする場合には、配合される色材、特に顔料として、例えば、Ｃ．Ｉ．ピグメントオレンジ３１、Ｃ．Ｉ．ピグメントオレンジ４３、Ｃ．Ｉ．ピグメントオレンジ６４、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８、Ｃ．Ｉ．ピグメントイエロー１５０、Ｃ．Ｉ．ピグメントイエロー１５４、Ｃ．Ｉ．ピグメントイエロー１５５およびＣ．Ｉ．ピグメントイエロー１８０等を例示することができ、これらは単独または組み合わせて用いることができる。」
１ｃ「【００３６】
　１．２．　溶剤
　１．２．１．環状エステル
　本実施形態に係るインク組成物は、溶剤として環状エステルを含有する。
・・・
　【００４１】
　１．２．２．第１有機溶剤
　本実施形態に係るインク組成物は、溶剤として、引火点が７０℃以下であって下記一般式（Ｉ）で表される第１有機溶剤を含有する。
・・・
【００４５】
　引火点が７０℃以下である一般式（Ｉ）で表される化合物の具体例としては、ジエチレングリコールメチルエチルエーテル（６４℃）、ジエチレングリコールジメチルエーテル（５６℃）、ジプロピレングリコールジメチルエーテル（６５℃）等が挙げられる。これらの化合物は、１種単独で使用してもよいし、２種以上併用してもよい。なお、括弧内の数値は引火点を示す。
・・・
【００４８】
　第１有機溶剤は、後述する式（１）および式（２）を満たすように添加されればよいが、記録される画像の乾燥性を一層向上させつつ、画像の濡れ拡がり性の低下を抑制するという観点から、その含有量ｂは、インク組成物の全質量に対して、２０質量％以上８５質量％以下であることが好ましく、下限は３０質量％以上であることがより好ましく、４０質量％以上であることがさらに好ましく、上限は８０質量％以下であることがより好ましく、７５質量％以下であることがさらに好ましく、７０質量％以下であることがよりさらに好ましく、６０質量％以下であることが特に好ましい。
・・・
【００６２】
　１．２．４．その他の溶剤
　本実施形態に係るインク組成物は、環状エステル、第１溶剤および第２溶剤に分類されない各種の有機溶剤を含有することができ、例えば、これらの溶剤に分類されないエステル系溶剤、ケトン系溶剤、アルコール系溶剤、アミド系溶剤、アルキレングリコールアルキルエーテル（例えば、ジエチレングリコールジエチルエーテル）等を使用できる。」
１ｄ「【００７３】
　＜水＞
　本実施形態のインク組成物には、水を含有しないことが好ましいが、含有されることを妨げるものではない。水が含有される場合には、その含有量が、インク組成物の全質量に対して、５質量％以下であることが好ましく、３質量％以下であることがより好ましく、１質量％以下であることがさらにより好ましく、０．０５質量％未満であることがさらに好ましく、０．０１質量％未満であることが一層好ましく、０．００５質量％未満であることがさらに一層好ましく、０．００１質量％未満であることが最も好ましい。なお、本実施形態に係るインク組成物は、実質的に水を含有しないインク組成物としてもよい。「実質的に含有しない」とは、意図的に含有させないことを指す。すなわち、本実施形態に係るインク組成物は、有機溶剤を主要な溶媒として、水を主要な溶媒としない、いわゆる非水系インク組成物であることが好ましい。
【００７４】
　＜定着用樹脂＞
　本実施形態のインク組成物は、定着用樹脂を含有してもよい。インク組成物に含有させうる定着用樹脂としては、例えば、脂肪族ポリエステル、芳香族ポリエステル、ポリウレタン、ポリ塩化ビニル、エポキシ樹脂、ポリ酢酸ビニル、塩化ビニル−酢酸ビニル共重合樹脂、エチレン−酢酸ビニル共重合樹脂、ポリカーボネート、ポリビニルブチラール、ポリビニルアルコール、フェノキシ樹脂、エチルセルロース樹脂、セルロースアセテートプロピオネート樹脂、セルロースアセテートブチレート、ニトロセルロース樹脂、ポリスチレン、ポリ（メタ）アクリル酸、ポリ（メタ）アクリル酸メチル、ポリ（メタ）アクリル酸エチル、（メタ）アクリル酸−（メタ）アクリル酸エステル共重合樹脂、スチレン−（メタ）アクリル共重合樹脂、ビニルトルエン−α−メチルスチレン共重合体樹脂、ポリアミド、ポリイミド、ポリスルホン系樹脂、石油樹脂、エチレン−（メタ）アクリル酸共重合樹脂、エチレン−（メタ）アクリル酸エステル共重合樹脂、塩素化ポリプロピレン、ポリオレフィン、エチレンアルキル（メタ）アクリレート樹脂、テルペン系樹脂、ロジン変性フェノール樹脂、ＮＢＲ・ＳＢＲ・ＭＢＲ等の各種合成ゴム、およびそれらの変性体等が挙げられる。これらの樹脂は、１種単独で用いてもよく、２種以上混合して用いてもよい。これらの定着用樹脂は、例えば、インク組成物の記録媒体上における定着性を付与するために配合することができる。」
１ｅ「【０１０６】
　３．実施例
　以下に実施例および比較例を示し、本発明をさらに説明するが、本発明は以下の例によってなんら限定されるものではない。
【０１０７】
　３．１．インク組成物の調製
　各実施例および各比較例のインク組成物を、表１に示す配合で調製した。
【０１０８】
　表１に記載された成分において、顔料は、ピグメントブルー１５：３（銅フタロシアニン顔料：クラリアント社製）を用いた。
【０１０９】
　表１に記載の化合物のうち、環状エステルとしては、γ−ブチロラクトン（関東化学株式会社製）を用いた。
【０１１０】
　表１に記載の化合物のうち、第１有機溶剤としては、ＤＥＧＭＥＥ（ジエチレングリコールメチルエチルエーテル、商品名「ハイソルブＥＤＭ」、東邦化学工業株式会社製）、ＤＥＧｄＭＥ（ジエチレングリコールジメチルエーテル、商品名「ジエチレングリコールジメチルエーテル」、東京化成工業株式会社製）を用いた。
【０１１１】
　表１に記載の化合物のうち、第２有機溶剤としては、ＤＥＧＢＭＥ（ジエチレングリコールブチルメチルエーテル、商品名「ハイソルブＢＤＭ」、東邦化学工業株式会社製）、ＴｅｔｒａＥＧｍＢＥ（テトラエチレングリコールモノブチルエーテル、商品名「ブチセノール４０」、ＫＨネオケム株式会社製）を用いた。
【０１１２】
　表１に記載の化合物のうち、その他の溶剤としては、ＤＥＧＤＥＥ（ジエチレングリコールジエチルエーテル、商品名「ジエチレングリコールジエチルエーテル」、東京化成工業株式会社製、引火点７１℃）を用いた。
【０１１３】
　表１中、ソルスパース３７５００（商品名、ＬＵＢＲＩＺＯＬ社製）は、分散剤である。パラペットＧ−１０００Ｐ（株式会社クラレ製）は、アクリル樹脂（定着樹脂）である。表１中、ＢＹＫ３４０（ビックケミー・ジャパン株式会社製）は、フッ素系界面活性剤（滑剤）である。
・・・
【０１２２】
　３．３．評価結果
　以上の評価試験の結果を表１に示す。
【０１２３】
【表１】
【０１２４】
　実施例に係るインク組成物は、いずれも、耐擦性の評価が良好であり、かつ、乾燥性および画質（ドットサイズ等）の評価が良好であることがわかった。このように、実施例に係るインク組成物は、耐擦性に優れつつ、画像の乾燥性と画質の向上を両立できるものであることが示された。」
（２）甲第２号証 
２ａ「【請求項１】
　カーボンブラックを分散剤なしに水に分散可能とした平均粒径が５０ｎｍ以上３００ｎｍ以下の分散体と、ガラス転位温度が−１０℃以下で、且つ酸価が１００ｍｇＫＯＨ／ｇ以下である高分子微粒子とを含んでなるブラックインク組成物、および顔料をポリマーを用いて水に分散可能とした平均粒径が５０ｎｍ以上３００ｎｍ以下の分散体であって、当該ポリマーのゲルパーミエーションクロマトグラフィーによるスチレン換算重量平均分子量が１００００以上２０００００以下である分散体と、ガラス転位温度が−１０℃以下で、且つ酸価が１００ｍｇＫＯＨ／ｇ以下である高分子微粒子とを含んでなる少なくとも１種以上のカラーインク組成物を有することを特徴とするインクセット。
【請求項２】
　前記カラーインク組成物が、少なくともイエローインク組成物、マゼンタインク組成物およびシアンインク組成物を有することを特徴とする請求項１に記載のインクセット。
【請求項３】
　前記イエローインク組成物の顔料が、Ｃ．Ｉ．ピグメントイエロー１８０および／またはＣ．Ｉ．ピグメントイエロー１８５であり、前記マゼンタインク組成物の顔料が、Ｃ．Ｉ．ピグメントレッド１２２であり、前記シアンインク組成物の顔料が、Ｃ．Ｉ．ピグメントブルー１５：３であることを特徴とする請求項２に記載のインクセット。
【請求項４】
　さらに、レッドインク組成物、ブルーインク組成物、オレンジインク組成物およびグリーンインク組成物からなる群から選ばれる一種または二種以上を有することを特徴とする請求項２または請求項３に記載のインクセット。
【請求項５】
　前記レッドインク組成物の顔料が、Ｃ．Ｉ．ピグメントレッド１７０および／またはＣ．Ｉ．ピグメントレッド２５４であり、前記ブルーインク組成物の顔料が、Ｃ．Ｉ．ピグメントブルー６０であり、前記オレンジインク組成物の顔料が、Ｃ．Ｉ．ピグメントオレンジ４３であり、前記グリーンインク組成物の顔料が、Ｃ．Ｉ．ピグメントグリーン３６であることを特徴とする請求項４に記載のインクセット。」
（３）甲第３号証
３ａ「【請求項１】
　オレンジ、バイオレット、又はグリーン色を呈する有機顔料の少なくとも１種、
　下記式（１）で表されるモノマーに由来する繰り返し単位を含む重合体、及び、
　活性放射線硬化性化合物を含有することを特徴とする
　インクジェット用インク組成物。
【化１】
　前記式（１）において、Ｒ1は、水素原子又はアルキル基を表す。Ｒ2及びＲ3は、一価の置換基を表す。また、Ｒ2とＲ3とが連結して環状構造を形成してもよい。Ｗは、−ＣＯ−、−Ｃ（＝Ｏ）Ｏ−、−ＣＯＮＲ−、−ＯＣ（＝Ｏ）−、及びフェニレン基のいずれかを表す。Ｒは、水素原子、アルキル基、アリール基、又はアラルキル基を表す。Ｘは、単結合又は２価の連結基を表す。
・・・
【請求項４】
　前記有機顔料が以下に示す群から選ばれた少なくとも１種である請求項１〜３のいずれか１つに記載のインクジェット用インク組成物。
Ｃ．Ｉ．ピグメントオレンジ３６，３８，４３，７１、
Ｃ．Ｉ．ピグメントバイオレット２３，３２，３７，３９、及び
Ｃ．Ｉ．ピグメントグリーン７，３６，３７」
（４）甲第４号証
４ａ「【請求項１】
　オレンジ、バイオレット、又はグリーン色を呈する有機顔料の少なくとも１種、
　下記式（１）で表される重合体、及び、
　性放射線硬化性化合物を含有することを特徴とする
　インクジェット用インク組成物。
【化１】
　前記式（１）において、Ｒ1は、（ｍ＋ｎ）価の有機連結基を表し、Ｒ2は、単結合又は２価の有機連結基を表す。Ａ1は、有機色素構造、複素環構造、酸性基、塩基性窒素原子を有する基、ウレア基、ウレタン基、配位性酸素原子を有する基、炭素数４以上の炭化水素基、アルコキシシリル基、エポキシ基、イソシアネート基、及び水酸基からなる群より選択される少なくとも１種よりなる顔料吸着構造を含む１価の有機基を表す。ｎ個のＡ1、Ｒ2は、それぞれ独立に、同一であっても、異なっていてもよい。ｍは、１〜８、ｎは、２〜９を表し、ｍ＋ｎは、３〜１０である。Ｐ1は、ポリマー骨格を表す。ｍ個のＰ1は、同一であってもよいし、異なっていてもよい。
・・・
【請求項７】
　前記有機顔料が以下に示す群から選ばれた少なくとも１種である請求項１〜６のいずれか１つに記載のインクジェット用インク組成物。
Ｃ．Ｉ．ピグメントオレンジ３６，３８，４３，７１、
Ｃ．Ｉ．ピグメントバイオレット２３，３２，３７，３９、及び
Ｃ．Ｉ．ピグメントグリーン７，３６，３７」
（５）甲第５号証
５ａ「【００４５】
　本発明の非水系インクジェットインクは、含水率が０．５％以上、４％以下であることが特徴である。含水率が０．５％以上であれば、インク製造の最終段階で加温処理、脱水処理、減圧処理など物理的な脱水処理による調整が可能であり、含水率が４％以下であれば、低温あるいは高温で保存後のインクでも保存前後でサテライト発生に変化がなく、良好な射出性を得られる。」
５ｂ「【００６３】
　オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１、Ｃ．Ｉ．ピグメントイエロー２、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１５：３、Ｃ．Ｉ．ピグメントイエロー１６、Ｃ．Ｉ．ピグメントイエロー１７、Ｃ．Ｉ．ピグメントイエロー７３、Ｃ．Ｉ．ピグメントイエロー７４、Ｃ．Ｉ．ピグメントイエロー７５、Ｃ．Ｉ．ピグメントイエロー８３、Ｃ．Ｉ．ピグメントイエロー９３、Ｃ．Ｉ．ピグメントイエロー９５、Ｃ．Ｉ．ピグメントイエロー９７、Ｃ．Ｉ．ピグメントイエロー９８、Ｃ．Ｉ．ピグメントイエロー１０９、Ｃ．Ｉ．ピグメントイエロー１１０、Ｃ．Ｉ．ピグメントイエロー１１４、Ｃ．Ｉ．ピグメントイエロー１２０、Ｃ．Ｉ．ピグメントイエロー１２８、Ｃ．Ｉ．ピグメントイエロー１２９、Ｃ．Ｉ．ピグメントイエロー１３０、Ｃ．Ｉ．ピグメントイエロー１３８、Ｃ．Ｉ．ピグメントイエロー１４７、Ｃ．Ｉ．ピグメントイエロー１５０、Ｃ．Ｉ．ピグメントイエロー１５１、Ｃ．Ｉ．ピグメントイエロー１５４、Ｃ．Ｉ．ピグメントイエロー１５５、Ｃ．Ｉ．ピグメントイエロー１８０、Ｃ．Ｉ．ピグメントイエロー１８５、Ｃ．Ｉ．ピグメントイエロー２１３、Ｃ．Ｉ．ピグメントイエロー２１４等が挙げられる。」
（６）甲第６号証
６ａ「
」（第４９９〜５００ページ）
（７）甲第７号証
７ａ「【００２９】
　そこで、顔料誘導体を凝集させて析出物を生成する油性顔料インク中の成分について検討したところ、インク中に含まれる極めて微量の水分が長期保存によって顔料から脱離した顔料誘導体を凝集させていることが判明した。すなわち、顔料誘導体は水に対する溶解性を殆ど有さないが、製造直後では顔料誘導体は顔料に吸着しているため、インク成分である顔料、顔料分散剤、有機溶剤などからインク中に微量の水分が混入しても、該水分により凝集が生ずることはない。例えば、本発明者等の検討によれば、油性顔料インク中に０．４質量％程度の水分が含まれている場合であっても、製造直後においては吐出性に問題のない油性顔料インクが得られることが見出されている。しかしながら、長期保存により顔料から顔料誘導体の一部が脱離した場合、インク中の水分量が極めて微量でも、脱離した顔料誘導体が有機溶剤に溶媒和できず、顔料誘導体同士が会合等により凝集し、それによって顔料誘導体由来の大きな粒子径を有する析出物が生成されるものと考えられる。
【００３０】
　上記観点から本発明者等は、長期保存による顔料誘導体の凝集を抑えるためにインク中の水分量を低減させる検討を行なったが、該水分は顔料、顔料誘導体、顔料分散剤、有機溶剤などの各成分が本来不可避的に含有するものと、製造装置などの製造環境から供給されるものが考えられる。従って、特許文献５にように、顔料の凝集を抑えるために有機溶剤として（ポリ）アルキレングリコールジアルキルエステルを使用して水分の吸湿を抑えても、インクジェット記録方式に用いられるインクとして使用する場合には、油性顔料分散体を希釈する必要があるため、この希釈工程で有機溶剤などのインク成分や製造装置から混入してくる水分により、最終的に得られる油性顔料インク中の水分量が増加する。このため、原材料に含まれている水分を低減させても、製造工程で混入してくる水分を除去することは困難である。また、水分量の少ない原材料を用いるとともに、全ての製造工程を低湿環境下で行なうことも考えられるが、製造装置が大掛かりとなり、製造コストの増加を招くこととなる。特に、特許文献５では、油性顔料分散体における水分量を低減するために（ポリ）アルキレングリコールジアルキルエステルを使用しているが、該有機溶剤を用いた場合の最低水分量は０．３２質量％までであるのに対し、本発明者等の検討によれば、このような微量の水分量であっても顔料誘導体に由来する析出物の生成が抑えられないことが判明した。
【００３１】
　本実施の形態の油性顔料インクの製造方法は、上記検討に基づきなされたものであり、インク最終組成において水分量を効果的に低減するために、顔料、顔料誘導体、顔料分散剤、及び有機溶剤を混合して、インク最終組成を有する混合液を調製し、このインク最終組成を有する混合液を、温度７０℃以下で加温して、水分量が０．３質量％以下となるように脱水処理することを特徴とするものである。この混合液調製工程と脱水処理工程とを有する製造方法によれば、インク最終組成を有する混合液の水分量が低減されるため、原材料の水分量を厳格に制御する必要がなく、また全ての製造工程を低湿環境下で行なう必要もない。そして、後述するように、水分量が０．３質量％以下であれば、長期保存による顔料誘導体由来の析出物の生成を確実に抑えることができる。」
３　甲第１号証に記載された発明 
　甲第１号証の実施例２として、「顔料としてＰＢ−１５：３を４．０質量％、分散剤としてソルスパース３７５００を４．０質量％、環状エステルとしてＧＢＬ（γ−ブチロラクトン（関東化学株式会社製））を１５．０質量％、第１有機溶剤としてＤＥＧＭＥＥ（ジエチレングリコールメチルエチルエーテル）を４５．０質量％、第２有機溶剤としてＤＥＧＢＭＥ（ジエチレングリコールブチルメチルエーテル）を２９．０質量％、界面活性剤としてＢＹＫ３４０を１．５質量％、及び、定着樹脂としてパラペットＧ−１０００Ｐを１．５質量％からなるインクジェット記録用インク組成物。」（以下、「甲１発明」という。）が記載されていると認められる（摘記１ｅ参照）。
４　当審の判断
（１）対比・判断 
ア　本件特許発明１について 
（ア）甲１発明との対比
　本件特許発明１と甲１発明を対比する。 
　甲１発明の「インクジェット記録用インク組成物」は、水を含んでおらず、有機溶剤を含むことから、本件特許発明１の「非水系インクジェットインク組成物」に相当する。
　また、甲１発明の「環状エステルであるＧＢＬ（γ−ブチロラクトン（関東化学株式会社製））を１５．０質量％」は、環状エステルは溶剤であり、その含有量は本件特許発明１の環状エステルの合計含有量の範囲（５質量％以上３０質量％以下）内のものであるから、本件特許発明１の「溶剤として環状エステルの１種以上をさらに含み、インク組成物中に含まれる当該環状エステルの合計含有量が５質量％以上３０質量％以下である」に相当する。
　そして、本件特許発明１の「Ｃ．Ｉ．ピグメントオレンジ４３」と甲１発明の「ＰＢ−１５：３」とは、「顔料」である点で共通する。
　そうすると、本件特許発明１と甲１発明とは、「顔料と、溶剤として環状エステルの１種以上をさらに含み、インク組成物中に含まれる当該環状エステルの合計含有量が５質量％以上３０質量％以下である、非水系インクジェットインク組成物。」である点で一致し、以下の点で相違する。
＜相違点１＞
　顔料が、本件特許発明１ではＣ．Ｉ．ピグメントオレンジ４３であるのに対し、甲１発明ではＰＢ−１５：３である点。
＜相違点２＞
　本件特許発明１では、インク組成物中に含まれる水の含有量が０．１質量％以上２質量％以下であると特定されているのに対し、甲１発明は水を含まない点。
＜相違点３＞
　溶剤について、本件特許発明１では、「下記一般式（１）で表される化合物の１種以上を含み、
前記一般式（１）で表される化合物として、ジエチレングリコールメチルエチルエーテル、ジエチレングリコールジメチルエーテル及びジエチレングリコールジエチルエーテルから選ばれる化合物の１種以上を、インク組成物の全質量に対して合計６７質量％以上含有し、
　前記一般式（１）で表される化合物として、ジエチレングリコールジエチルエーテルを含有し、
Ｒ１Ｏ−（Ｒ２Ｏ）ｍ−Ｒ３　・・・・・（１）
（一般式（１）中、Ｒ１及びＲ３は、それぞれ独立して、水素又は炭素数１以上４以下のアルキル基を表す。ただし、Ｒ１及びＲ３の少なくとも何れかは、炭素数１以上４以下のアルキル基である。Ｒ２は、炭素数２又は３のアルキレン基を表す。ｍは２〜３の整数を表す。）」という構成が特定されているのに対し、甲１発明では、ＧＢＬ（γ−ブチロラクトン（関東化学株式会社製））以外の溶剤として、第１有機溶剤であるＤＥＧＭＥＥ（ジエチレングリコールメチルエチルエーテル）を４５質量％、第２有機溶剤であるＤＥＧＢＭＥ（ジエチレングリコールブチルメチルエーテル）を２９質量％含む点。
（イ）　相違点についての検討
　事案に鑑み、まず、相違点３について検討する。なお、「ジエチレングリコールメチルエチルエーテル」、「ジエチレングリコールジエチルエーテル」、「ジエチレングリコールジメチルエーテル」は、それぞれ、単に「ＤＥＧＭＥＥ」、「ＤＥＧＤＥＥ」、「ＤＥＧＤＭＥ」ということもある。
　甲１発明は、ＤＥＧＭＥＥを４５．０質量％しているところ、甲１発明を本件特許発明１のように、「ＤＥＧＭＥＥ、ＤＥＧＤＭＥ及びＤＥＧＤＥＥから選ばれる化合物の１種以上を、インク組成物の全質量に対して合計６７質量％以上含有し」、同時に、「ＤＥＧＤＥＥを含有」するようにするためには、甲１発明に、少なくとも、「ＤＥＧＤＥＥ」を添加し、さらに「ＤＥＧＭＥＥ」を添加するか、又は「ＤＥＧＤＭＥ」を添加することで、それらの合計量が、６７質量％以上となるようにすることが必要になる。
　一方、甲１には、ＤＥＧＭＥＥ、ＤＥＧＤＭＥ等の第１有機溶剤は、インク組成物の全質量に対して、２０質量％以上８５質量％以下であることが好ましいことが記載され、環状エステル、第１溶剤および第２溶剤以外の溶剤として、ＤＥＧＤＥＥを使用できることが記載されている（摘記１ｃ参照）。
　そうすると、上記記載から、仮に、甲１には、甲１発明にＤＥＧＤＥＥを添加し、同時に、第１有機溶剤であるＤＥＧＭＥＥの含有量を増やして、「ＤＥＧＤＥＥ」及び「ＤＥＧＭＥＥ」の合計量を６７質量％以上とすることが示唆されているといえるとしても、そのような場合には、甲１発明の溶剤（ＧＢＬ、ＤＥＧＭＥＥ、ＤＥＧＢＭＥ）の含有量が増えることから、相対的に、インク組成物の他の残りの成分の含有量が減ることになる。そして、この場合、当該他の残りの成分がどの程度の含有量となるかは不明としかいうほかない。
　そして、そのようなものが、インクジェット記録インク組成物として、甲１に記載されたような所望の作用効果（耐擦性が良好であり、かつ、乾燥性および画質（ドットサイズ等）の評価が良好（【０１２４】））なものとなるかどうかは明らかではない。たとえば、甲１の実施例３は、甲１発明に含まれないＤＥＧＤＥＥを２０質量％含むものであるところ、甲１発明と溶剤以外の成分の含有量は変化せず、甲１発明より、ＧＢＬの含有量は増加し、ＤＥＧＭＥＥの含有量は低下したものとなっており、溶剤としてＤＥＧＤＥＥを用いた場合には、他の溶剤の含有量を増減する必要があることが理解できる。
　したがって、甲１には、甲１発明にＤＥＧＤＥＥを添加し、同時に、第１有機溶剤であるＤＥＧＭＥＥの含有量を増やして、「ＤＥＧＤＥＥ」及び「ＤＥＧＭＥＥ」の合計量を６７質量％以上とすることまでも開示されているということはできない。
　また、甲第２号証〜甲第７号証の記載を参照しても、甲１発明の溶剤の種類及びその含有量について、ＤＥＧＤＥＥを添加し、同時に、第１有機溶剤であるＤＥＧＭＥＥの含有量を増やして、「ＤＥＧＤＥＥ」及び「ＤＥＧＭＥＥ」の合計量を６７質量％以上とする動機付けは見いだせない。
　したがって、上記相違点３に係る本件特許発明１の発明特定事項は、当業者が容易に想到し得るものであるということはできない。　
（ウ）　本件特許発明１の効果について
　本件特許発明１は、顔料として、Ｃ．Ｉ．ピグメントオレンジ４３を用いたことで、長期保管した際にインクに異物が発生するものにおいて、上記特定の有機溶剤を用いることによって保存安定性が良好となるという、甲１発明からは予測し得ない、格別顕著な作用効果を奏するものであり、そのような作用効果は、本件明細書に記載された実施例において確認されていると認められる。
（エ）　特許異議申立人の主張について
　特許異議申立人は、「本件特許発明１における溶剤組成は甲第１号証に接した当業者であれば、甲第１号証に記載の実施例から甲第１号証の発明の詳細な説明の記載を参酌して適宜調整することができるものである。」と主張している。
　しかし、上記（イ）のとおり、甲第１号証には、本件特許発明１の上記のような有機溶剤組成を有するインク組成物は具体的には開示されておらず、そのようなインク組成物とする動機付けもない。
　なお、特許異議申立人は、訂正によって溶剤の種類と溶剤の含有量を限定したことにより生じた事項について、参考資料１、２に基づく、特許法第２９条第２項の規定に関する新たな取消理由が採用されるべきであると主張するが、本件訂正は、訂正前の明細書の記載に基いて、溶剤の種類と溶剤の含有量を特定して、減縮したものであるから、訂正によって、実質的に新たな内容を含む部分が生じたとはいえず、参考資料１及び２に基づく取消理由は、新たな取消理由として採用されるべきものではない。
（オ）　まとめ
　以上のとおり、本件特許発明１は、上記相違点１及び２について検討するまでもなく、甲１発明に基いて当業者が容易に発明をすることができたものであるとすることはできない。
イ　本件特許発明２〜７について
　本件特許発明２〜７は、「溶剤として下記一般式（１）で表される化合物の１種以上と、を含み・・・前記一般式（１）で表される化合物として、ジエチレングリコールメチルエチルエーテル、ジエチレングリコールジメチルエーテル及びジエチレングリコールジエチルエーテルから選ばれる化合物の１種以上を、インク組成物の全質量に対して合計６７質量％以上含有し、
　前記一般式（１）で表される化合物として、ジエチレングリコールジエチルエーテルを含有し・・・
Ｒ１Ｏ−（Ｒ２Ｏ）ｍ−Ｒ３　・・・・・（１）
（一般式（１）中、Ｒ１及びＲ３は、それぞれ独立して、水素又は炭素数１以上４以下のアルキル基を表す。ただし、Ｒ１及びＲ３の少なくとも何れかは、炭素数１以上４以下のアルキル基である。Ｒ２は、炭素数２又は３のアルキレン基を表す。ｍは２〜３の整数を表す。）」点を発明特定事項に備えているところ、これは上記相違点３に係る本件特許発明１の発明特定事項と実質的に同等であり、本件特許発明２〜７は、甲１発明に基いて当業者が容易に発明をすることができたものであるとすることはできない。
第５　取消理由通知において採用しなかった特許異議申立理由について
　取消理由通知において採用しなかった特許異議申立理由は、以下の１及び２である。
１　特許法第３６条第６項第１号
　インク組成物の保存安定性はＤＥＧｄＥＥ（ジエチレングリコールジエチルエーテル）の含有量にも依存し得るものであることが伺えるものでありＤＥＧｄＥＥの含有量が特定されていない本件特許発明１の範囲まで本件特許発明の範囲を拡張ないし一般化することはできない。
　水の含有量を２質量％と変更したインク組成物は、実施例４のインク組成物よりも保存安定性が低下するものと思われるがこのような実施例のインク組成物の保存安定性は立証されていない。
　このように本件特許発明１の全ての範囲において保存安定性が高いことが示されておらず、本件特許発明１の範囲まで本件特許発明の範囲を拡張ないし一般化することはできない。
　したがって、本件特許発明１〜７は、特許請求の範囲の記載が不備のため、特許法第３６条第６項第１号に適合するものではない。
２　特許法第３６条第４項第１号
　本件特許明細書にはＤＥＧｄＥＥの含有量が６８質量％未満の実施例は記載されておらず、発明の詳細な説明の記載は当業者が実施をすることができる程度に明確かつ十分に記載されているとはいえない。
　したがって、発明の詳細な説明の記載が特許法第３６条第４項第１号に規定する要件を満たしていない。
第６　取消理由通知において採用しなかった特許異議申立理由についての判断
１　特許法第３６条第６項第１号
　特許異議申立人の上記主張は、ＤＥＧｄＥＥの含有量によって保存安定性が低下することを具体的に示すものではない。そして、本件特許明細書の実施例４、８〜１０の結果を参酌するに、インク組成物の保存安定性はＤＥＧｄＥＥの含有量にも依存し得るものであるとしても、ＤＥＧｄＥＥを含有していれば、保存安定性が良好であることを推認でき、その含有量によって保存安定性が悪化するものであるという事情は認められないことから、本件特許発明１の範囲まで本件特許発明の範囲を拡張ないし一般化することはできないとすることはできない。
　また、水の含有量を２質量％と変更したインク組成物は、実施例４のインク組成物よりも保存安定性が低下するものと思われるものの、実施例６の記載からみて、保存安定性が良好であることを推認でき、本件特許発明１の範囲まで本件特許発明の範囲を拡張ないし一般化することはできないとまではいえない。
２　特許法第３６条第４項第１号について
　しかし、特許異議申立人の上記主張は、ＤＥＧｄＥＥの含有量によって本件特許発明が実施できないものであることを具体的に示すものではない。そして、ＤＥＧｄＥＥの含有量が６８質量％未満の態様についてもインク組成物を製造し使用することができることは明らかであるから、上記主張は採用できない。
第６　むすび
　以上のとおりであるから、令和２年６月３日付けの取消理由通知に記載した取消理由、令和２年９月８日付けの取消理由通知に記載した取消理由特許、及び、異議申立書に記載した特許異議申立理由によっては、本件請求項１〜７に係る特許を取り消すことはできない。
　また、他に本件請求項１〜７に係る特許を取り消すべき理由を発見しない。
　よって、結論のとおり決定する。
【異議決定日】
令和３年２月１０日（２０２１．２．１０）
【訂正の要旨】
審決（決定）の【理由】欄参照。
（５７）【特許請求の範囲】
　【請求項１】
　顔料としてＣ．Ｉ．ピグメントオレンジ４３と、
　溶剤として下記一般式（１）で表される化合物の１種以上と、
を含み、
　インク組成物中に含まれる水の含有量が０．１質量％以上２質量％以下であり、
　前記一般式（１）で表される化合物として、ジエチレングリコールメチルエチルエーテル、ジエチレングリコールジメチルエーテル
及び
ルか
　
前記一般式（１）で表される化合物として、ジエチレングリコールジエチルエーテルを含有し、
　前記溶剤として環状エステルの１種以上をさらに含み、インク組成物中に含まれる当該環状エステルの合計含有量が５質量％以上
３０
　Ｒ１Ｏ−（Ｒ２Ｏ）ｍ−Ｒ３　・・・・・（１）
（一般式（１）中、Ｒ１及びＲ３は、それぞれ独立して、水素又は炭素数１以上４以下のアルキル基を表す。ただし、Ｒ１及びＲ３の少なくとも何れかは、炭素数１以上４以下のアルキル基である。Ｒ２は、炭素数２又は３のアルキレン基を表す。ｍは２〜３の整数を表す。）
　【請求項２】
　インク組成物中に含まれる前記顔料の含有量が、１質量％以上６質量％以下である、請求項１に記載の非水系インクジェットインク組成物。
　【請求項３】
　インク組成物中に含まれる前記一般式（１）で表される化合物の合計含有量が、６７質量％以上９０質量％以下である、請求項１または請求項２に記載の非水系インクジェットインク組成物。
　【請求項４】
　さらに、塩化ビニル樹脂を含む、請求項１ないし請求項３のいずれか一項に記載の非水系インクジェットインク組成物。
　【請求項５】
　前記水の含有量が、０．１質量％以上１質量％以下である、請求項１ないし請求項４のいずれか一項に記載の非水系インクジェットインク組成物。
　【請求項６】
　前記一般式（１）で表される化合物が、引火点が７０℃以下の化合物である、請求項１ないし請求項５のいずれか一項に記載の非水系インクジェットインク組成物。
　【請求項７】
　前記一般式（１）で表される化合物のうち、前記引火点が７０℃以下の化合物の合計含有量が７０質量％以下である、請求項６に記載の非水系インクジェットインク組成物。